【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）による複数のワイヤレス通信に関する方法であって、
第１のサブフレームの構成で前記ＵＥを構成するシグナリングを受信することと、
ダウンリンクハイブリッド自動リピート要求（ＨＡＲＱ）動作に関する基準サブフレームの構成を決定することと、
アップリンクまたはダウンリンク  セミパーシステント  スケジューリング（ＳＰＳ）送信のうちの少なくとも１つに関するＳＰＳ構成をアクティブ化する第１のサブフレームにおけるアクティブ化制御チャネルを受信することと、
１つまたは複数の第２のサブフレームにおいて、アップリンクまたはダウンリンクＳＰＳ送信のうちの前記少なくとも１つに関する前記ＳＰＳ構成と前記第１のサブフレームの構成との間のコンフリクトを検出することと、
前記コンフリクトを検出した後、前記第１のサブフレームの構成または前記基準サブフレームの構成のうちの少なくとも１つに基づいて、前記１つまたは複数の第２のサブフレームにおいて、複数のアップリンクＳＰＳ送信を送信するか、または複数のダウンリンクＳＰＳ送信を受信するかを決定することと、
を備える方法。
【請求項２】
前記第１のサブフレームの構成で前記ＵＥを構成する前記シグナリングは、システム情報ブロックに基づく、請求項１に記載の方法。
【請求項３】
前記基準サブフレームの構成は、無線リソース制御（ＲＲＣ）構成に基づく、請求項１に記載の方法。
【請求項４】
前記１つまたは複数の第２のサブフレームにおいて、複数のアップリンクＳＰＳ送信を送信するかどうかの前記決定に少なくとも部分的に基づいて前記複数のアップリンクＳＰＳ送信を送信すること、または
前記１つまたは複数の第２のサブフレームにおいて、複数のダウンリンクＳＰＳ送信を受信するかどうかの前記決定に少なくとも部分的に基づいて前記複数のダウンリンクＳＰＳ送信を受信すること、
のうちの少なくとも１つをさらに備える、請求項１に記載の方法。
【請求項５】
前記ＵＥに関する複数のＳＰＳパラメータのセットを構成する構成を受信することと、ここにおいて、前記複数のＳＰＳパラメータのセットは、ＳＰＳインターバル、ＵＥ特有のアイデンティティ、ＨＡＲＱ処理の数、複数のＨＡＲＱリソースのセット、複数の電力制御パラメータのセット、暗黙のリリースに関するタイマ、または２つのインターバルの動作を制御するパラメータのうちの少なくとも１つを含み、ここにおいて、前記１つまたは複数の第２のサブフレームにおいて、複数のダウンリンクＳＰＳ送信を受信するか、または複数のアップリンクＳＰＳ送信を送信するかの前記決定は、前記複数のＳＰＳパラメータのセットの前記構成にさらに基づく、
をさらに備える、請求項４に記載の方法。
【請求項６】
前記基準サブフレームの構成から独立した、前記第１のサブフレームの構成、前記複数のＳＰＳパラメータのセットの前記構成、および前記アクティブ化制御チャネルに基づいて、前記１つまたは複数の第２のサブフレームのうちの１つのサブフレームにおいて、前記複数のアップリンクＳＰＳ送信を送信すること、または前記複数のダウンリンクＳＰＳ送信を受信することを決定することをさらに備える、請求項５に記載の方法。
【請求項７】
前記アクティブ化制御チャネルは、複数のダウンリンクＳＰＳ送信または複数のアップリンクＳＰＳ送信のうちの前記少なくとも１つに関する変調およびコーディング  インジケータまたは複数のリソースのセットのうちの少なくとも１つを割り当てる、請求項１に記載の方法。
【請求項８】
前記第１のサブフレームの構成と異なる第２のサブフレームの構成を指示する動的なインジケータを受信することをさらに備える、請求項１に記載の方法。
【請求項９】
前記ＳＰＳ構成はダウンリンクＳＰＳ構成であり、および前記１つまたは複数の第２のサブフレームにおいて、前記複数のダウンリンクＳＰＳ送信を受信するかどうかの前記決定は、前記第１のサブフレームの構成と前記第２のサブフレームの構成の両方に基づく、請求項８に記載の方法。
【請求項１０】
前記１つまたは複数の第２のサブフレームのうちの１つのサブフレームにおいて、前記サブフレームが、ダウンリンクサブフレームまたは特別なサブフレームとして前記第１のサブフレームの構成および前記第２のサブフレームの構成の両方によって指示されるとき、前記複数のダウンリンクＳＰＳ送信を受信することを決定することをさらに備える、請求項９に記載の方法。
【請求項１１】
前記１つまたは複数の第２のサブフレームのうちの１つのサブフレームにおいて、前記サブフレームが、ダウンリンクサブフレームとして前記第１のサブフレームの構成または前記第２のサブフレームの構成のうちの１つによって指示されるが、アップリンクサブフレームまたは特別なサブフレームのうちの少なくとも１つとして、別の構成によって指示されるとき、前記複数のダウンリンクＳＰＳ送信を受信することを省略することを決定することをさらに備える、請求項９に記載の方法。
【請求項１２】
前記１つまたは複数の第２のサブフレームのうちの１つのサブフレームにおいて、前記サブフレームが、ダウンリンクサブフレームまたは特別なサブフレームのうちの１つとして前記第１のサブフレームの構成によって指示されるとき、前記複数のダウンリンクＳＰＳ送信を受信することを決定することをさらに備える、請求項１に記載の方法。
【請求項１３】
前記ＳＰＳ構成はアップリンクＳＰＳ構成であり、および前記１つまたは複数の第２のサブフレームにおいて、前記複数のアップリンクＳＰＳ送信を送信するかどうかの前記決定は、少なくとも前記基準サブフレームの構成と前記第１のサブフレームの構成の両方に基づく、請求項１に記載の方法。
【請求項１４】
前記１つまたは複数の第２のサブフレームにおいて、前記複数のアップリンクＳＰＳ送信を送信するかどうかの前記決定は、動的に指示された第２のサブフレームの構成にさらに基づく、請求項１３に記載の方法。
【請求項１５】
前記１つまたは複数の第２のサブフレームのうちの少なくとも１つのサブフレームに関する複数の電力制御セットから１つの電力制御セットを決定することと、および前記決定された電力制御セットに基づいて、前記１つまたは複数の第２のサブフレームのうちの前記少なくとも１つのサブフレームにおいて、アップリンクＳＰＳ送信を送信することとをさらに備える、請求項１に記載の方法。
【請求項１６】
複数のワイヤレス通信のための装置であって、
第１のサブフレームの構成で前記装置を構成するシグナリングを受信するための手段と、
ダウンリンクハイブリッド自動リピート要求（ＨＡＲＱ）動作に関する基準サブフレームの構成を決定するための手段と、
アップリンクまたはダウンリンク  セミパーシステント  スケジューリング（ＳＰＳ）送信のうちの少なくとも１つに関するＳＰＳ構成をアクティブ化する第１のサブフレームにおけるアクティブ化制御チャネルを受信するための手段と、
１つまたは複数の第２のサブフレームにおいて、アップリンクまたはダウンリンクＳＰＳ送信のうちの前記少なくとも１つに関する前記ＳＰＳ構成と前記第１のサブフレームの構成との間のコンフリクトを検出するための手段と、
前記コンフリクトを検出した後、前記第１のサブフレームの構成または前記基準サブフレームの構成のうちの少なくとも１つに基づいて、前記１つまたは複数の第２のサブフレームにおいて、複数のダウンリンクＳＰＳ送信を受信するか、または複数のアップリンクＳＰＳ送信を送信するか、を決定するための手段と、
を備える装置。
【請求項１７】
前記第１のサブフレームの構成で前記装置を構成する前記シグナリングは、システム情報ブロックに基づく、請求項１６に記載の装置。
【請求項１８】
前記基準サブフレームの構成は、無線リソース制御（ＲＲＣ）構成に基づく、請求項１６に記載の装置。
【請求項１９】
前記１つまたは複数の第２のサブフレームにおいて、複数のアップリンクＳＰＳ送信を送信するかどうかの前記決定に少なくとも部分的に基づいて前記複数のアップリンクＳＰＳ送信を送信するための手段、または
前記１つまたは複数の第２のサブフレームにおいて、複数のダウンリンクＳＰＳ送信を受信するかどうかの前記決定に少なくとも部分的に基づいて前記複数のダウンリンクＳＰＳ送信を受信するための手段、
をさらに備える、請求項１６に記載の装置。
【請求項２０】
前記ＵＥに関する複数のＳＰＳパラメータのセットを構成する構成を受信するための手段、ここにおいて、前記複数のＳＰＳパラメータのセットは、ＳＰＳインターバル、ＵＥ特有のアイデンティティ、ＨＡＲＱ処理の数、複数のＨＡＲＱリソースのセット、複数の電力制御パラメータのセット、暗黙のリリースに関するタイマ、または２つのインターバルの動作を制御するパラメータのうちの少なくとも１つを含み、ここにおいて、前記１つまたは複数の第２のサブフレームにおいて、複数のダウンリンクＳＰＳ送信を受信するか、または複数のアップリンクＳＰＳ送信を送信するかを決定するための前記手段は、前記複数のＳＰＳパラメータのセットの前記構成にさらに基づく、
をさらに備える、請求項１９に記載の装置。
【請求項２１】
前記アクティブ化制御チャネルは、複数のダウンリンクＳＰＳ送信または複数のアップリンクＳＰＳ送信のうちの前記少なくとも１つに関する変調およびコーディング  インジケータまたは複数のリソースのセットのうちの少なくとも１つを割り当てる、請求項１６に記載の装置。
【請求項２２】
前記第１のサブフレームの構成と異なる第２のサブフレームの構成を指示する動的なインジケータを受信するための手段をさらに備える、請求項１６に記載の装置。
【請求項２３】
前記ＳＰＳ構成はダウンリンクＳＰＳ構成であり、および前記１つまたは複数の第２のサブフレームにおいて、前記複数のダウンリンクＳＰＳ送信を受信するかどうかを決定するための前記手段は、前記第１のサブフレームの構成と前記第２のサブフレームの構成の両方に基づく、請求項２２に記載の装置。
【請求項２４】
前記１つまたは複数の第２のサブフレームのうちの１つのサブフレームにおいて、前記サブフレームが、ダウンリンクサブフレームまたは特別なサブフレームとして前記第２のサブフレームの構成および前記第１のサブフレームの構成の両方によって指示されるとき、前記複数のダウンリンクＳＰＳ送信を受信することを決定するための手段をさらに備える、請求項２３に記載の装置。
【請求項２５】
前記１つまたは複数の第２のサブフレームのうちの１つのサブフレームにおいて、前記サブフレームが、ダウンリンクサブフレームとして前記第２のサブフレームの構成または前記第１のサブフレームの構成のうちの１つによって指示されるが、アップリンクサブフレームまたは特別なサブフレームのうちの少なくとも１つとして、別の構成によって指示されるとき、前記複数のダウンリンクＳＰＳ送信を受信することを省略することを決定するための手段をさらに備える、請求項２３に記載の装置。
【請求項２６】
前記１つまたは複数の第２のサブフレームのうちの１つのサブフレームにおいて、前記サブフレームが、ダウンリンクサブフレームまたは特別なサブフレームのうちの１つとして前記第１のサブフレームの構成によって指示されるとき、前記複数のダウンリンクＳＰＳ送信を受信することを決定するための手段をさらに備える、請求項１６に記載の装置。
【請求項２７】
複数のワイヤレス通信に関する装置であって、
少なくとも１つのプロセッサと、前記少なくとも１つのプロセッサに結合されたメモリとを備え、ここにおいて、
前記少なくとも１つのプロセッサは、
第１のサブフレームの構成で前記装置を構成するシグナリングを受信することと、
ダウンリンクハイブリッド自動リピート要求（ＨＡＲＱ）動作に関する基準サブフレームの構成を決定することと、
アップリンクまたはダウンリンク  セミパーシステント  スケジューリング（ＳＰＳ）送信のうちの少なくとも１つに関するＳＰＳ構成をアクティブ化する第１のサブフレームにおけるアクティブ化制御チャネルを受信することと、
１つまたは複数の第２のサブフレームにおいて、アップリンクまたはダウンリンクＳＰＳ送信のうちの前記少なくとも１つに関する前記ＳＰＳ構成と前記第１のサブフレームの構成との間のコンフリクトを検出することと、
前記コンフリクトを検出した後、前記第１のサブフレームの構成または前記基準サブフレームの構成のうちの少なくとも１つに基づいて、前記１つまたは複数の第２のサブフレームにおいて、複数のダウンリンクＳＰＳ送信を受信するか、または複数のアップリンクＳＰＳ送信を送信するかを決定することと、
を行うように構成される、
装置。
【請求項２８】
その上に記憶された複数の命令を有する、ユーザ機器（ＵＥ）による複数のワイヤレス通信のためのコンピュータ可読媒体であって、前記複数の命令は、
第１のサブフレームの構成で前記ＵＥを構成するシグナリングを受信することと、
ダウンリンクハイブリッド自動リピート要求（ＨＡＲＱ）動作に関する基準サブフレームの構成を決定することと、
アップリンクまたはダウンリンク  セミパーシステント  スケジューリング（ＳＰＳ）送信のうちの少なくとも１つに関するＳＰＳ構成をアクティブ化する第１のサブフレームにおけるアクティブ化制御チャネルを受信することと、
１つまたは複数の第２のサブフレームにおいて、アップリンクまたはダウンリンクＳＰＳ送信のうちの前記少なくとも１つに関する前記ＳＰＳ構成と前記第１のサブフレームの構成との間のコンフリクトを検出することと、
前記コンフリクトを検出した後、前記第１のサブフレームの構成または前記基準サブフレームの構成のうちの少なくとも１つに基づいて、前記１つまたは複数の第２のサブフレームにおいて、複数のダウンリンクＳＰＳ送信を受信するか、または複数のアップリンクＳＰＳ送信を送信するかを決定することと、
のために１つまたは複数のプロセッサによって実行可能である、
コンピュータ可読媒体。
【手続補正２】
【補正対象書類名】明細書
【補正対象項目名】００８４
【補正方法】変更
【補正の内容】
【００８４】
[0091]前の説明は、ここに記述された様々な態様を実施することを当業者に可能にするために提供される。これらの態様に対する様々な変更は、当業者に容易に明らかになることであり、およびここで定義された一般的な原則は他の複数の態様に適用されることができる。したがって、特許請求の範囲は、ここに示された複数の態様に限定されるように意図されていないが、特許請求の範囲の言語に合わせた最大の範囲が与えられることになり、ここにおいて、単数の要素への言及は、特にそのように述べられていない限り、「１つおよび１つのみ」を意味するのではなく、むしろ「１つまたは複数」を意味するように意図されている。特に述べられていない限り、用語「いくつかの」は１つまたは複数を指す。当業者に知られているまたは後に知られることになる本開示の全体を通して記述された様々な態様の要素に全ての構造的および機能的に同等なものは、参照によりここに明示的に組み込まれ、および特許請求の範囲によって網羅されるように意図されている。さらに、こういった開示が特許請求の範囲に明示的に記載されているかどうかに関わらず、公共に献じられるように意図されてここに開示されたものは無い。いずれの請求項の要素も、その要素が、「するための手段」というフレーズを使用して明示的に記載されない限り、ミーンズ  プラス  ファンクションとして解釈されるものではない。
以下に、本願の出願当初の特許請求の範囲に記載された発明を付記する。
［Ｃ１］
ユーザ機器（ＵＥ）による複数のワイヤレス通信に関する方法であって、
第１のサブフレームの構成で前記ＵＥを構成するシグナリングを受信することと、
ダウンリンクハイブリッド自動リピート要求（ＨＡＲＱ）動作に関する基準サブフレームの構成を決定することと、
アップリンクまたはダウンリンク  セミパーシステント  スケジューリング（ＳＰＳ）送信のうちの少なくとも１つに関してＳＰＳをアクティブ化する第１のサブフレームにおけるアクティブ化制御チャネルを受信することと、
前記アクティブ化制御チャネル、前記第１のサブフレームの構成、または前記基準サブフレームの構成のうちの少なくとも１つに基づいて、１つまたは複数の第２のサブフレームにおいて、複数のアップリンクＳＰＳ送信を送信するか、複数のダウンリンクＳＰＳ送信を受信するかを決定することと、
を備える方法。
［Ｃ２］
前記第１のサブフレームの構成で前記ＵＥを構成する前記シグナリングは、システム情報ブロックに基づく、Ｃ１に記載の方法。
［Ｃ３］
前記基準サブフレームの構成は、無線リソース制御（ＲＲＣ）構成に基づく、Ｃ１に記載の方法。
［Ｃ４］
前記１つまたは複数の第２のサブフレームにおいて複数のアップリンクＳＰＳ送信を送信するかどうかの前記決定に少なくとも部分的に基づいて前記複数のアップリンクＳＰＳ送信を送信すること、または
１つまたは複数の第２のサブフレームにおいて複数のダウンリンクＳＰＳ送信を受信するかどうかの前記決定に少なくとも部分的に基づいて前記複数のダウンリンクＳＰＳ送信を受信すること、
のうちの少なくとも１つをさらに備える、Ｃ１に記載の方法。
［Ｃ５］
前記ＵＥに関する複数のＳＰＳパラメータのセットを構成する準静的構成を受信することと、ここにおいて、前記複数のＳＰＳパラメータのセットは、ＳＰＳインターバル、ＵＥ特有のアイデンティティ、ＨＡＲＱ処理の数、複数のＨＡＲＱリソースのセット、複数の電力制御パラメータのセット、暗黙のリリースに関するタイマ、または２つのインターバルの動作を制御するパラメータのうちの少なくとも１つを含む、
前記準静的構成に基づいて、さらに前記１つまたは複数の第２のサブフレームにおいて、複数のダウンリンクＳＰＳ送信を受信するか、または複数のアップリンクＳＰＳ送信を受信するかを決定することと、
前記準静的構成にさらに基づいて、前記１つまたは複数の第２のサブフレームにおいて、前記複数のダウンリンクＳＰＳ送信を受信すること、または複数のアップリンクＳＰＳ送信を送信することと、
をさらに備える、Ｃ４に記載の方法。
［Ｃ６］
前記アクティブ化制御チャネルは、前記ＳＰＳ送信に関する変調およびコーディング  インジケータまたは複数のリソースのセットうちの少なくとも１つを割り当てる、Ｃ１に記載の方法。
［Ｃ７］
第２のサブフレームの構成を指示する動的なインジケータを受信することをさらに備えるＣ１に記載の方法。
［Ｃ８］
前記ＳＰＳはダウンリンクＳＰＳであり、および前記１つまたは複数の第２のサブフレームにおいて、前記複数のダウンリンクＳＰＳ送信を受信するかどうかの前記決定は、前記第１のサブフレームの構成と前記第２のサブフレームの構成の両方に基づく、Ｃ７に記載の方法。
［Ｃ９］
前記１つまたは複数の第２のサブフレームのうちの１個のサブフレームにおいて、前記サブフレームが、ダウンリンクサブフレームまたは特別なサブフレームとして前記第１のサブフレームの構成および前記第２のサブフレームの構成の両方によって指示される時、前記複数のダウンリンクＳＰＳ送信を受信することを決定することをさらに備える、Ｃ８に記載の方法。
［Ｃ１０］
前記１つまたは複数の第２のサブフレームのうちの１個のサブフレームにおいて、前記サブフレームが、ダウンリンクサブフレームとして前記第１のサブフレームの構成または前記第２のサブフレームの構成のうちの１個によって表示されるが、アップリンクサブフレームまたは特別なサブフレームのうちの少なくとも１個として、前記他の構成によって表示される時、前記複数のダウンリンクＳＰＳ送信を受信することを省略することを決定することをさらに備える、Ｃ８に記載の方法。
［Ｃ１１］
前記１つまたは複数の第２のサブフレームのうちの１個のサブフレームにおいて、前記サブフレームが、ダウンリンクサブフレームまたは特別なサブフレームのうちの１個として前記第１のサブフレームの構成によって指示される時、前記複数のダウンリンクＳＰＳ送信を受信することを決定することをさらに備える、Ｃ１に記載の方法。    
［Ｃ１２］
前記ＳＰＳはアップリンクＳＰＳであり、および前記１つまたは複数の第２のサブフレームにおいて、前記複数のダウンリンクＳＰＳ送信を受信するかどうかの前記決定は、前記第１のサブフレームの構成または前記基準サブフレームの構成のうちの１つに基づく、Ｃ１に記載の方法。
［Ｃ１３］
前記ＳＰＳはアップリンクＳＰＳであり、および前記１つまたは複数の第２のサブフレームにおいて、前記のアップリンクＳＰＳを送信するかどうかの前記決定は、少なくとも前記基準サブフレームの構成と前記第１のサブフレームの構成の両方に基づく、Ｃ１に記載の方法。
［Ｃ１４］
前記１つまたは複数の第２のサブフレームにおいて前記アップリンクＳＰＳを送信するかどうかの前記決定は、動的に示された第２のサブフレームの構成にさらに基づく、Ｃ１３に記載の方法。
［Ｃ１５］
前記基準サブフレームの構成から独立した、前記第１のサブフレームの構成、前記準静的構成、および前記アクティブ化制御チャネルに基づいて、前記１つまたは複数の第２のサブフレームのうちの１つのサブフレームにおいて、前記複数のダウンリンクＳＰＳ送信を受信すること、または前記アップリンクＳＰＳを送信することを決定することをさらに備える、Ｃ５に記載の方法。
［Ｃ１６］
前記１つまたは複数の第２のサブフレームのうちの少なくとも１つのサブフレームに関する複数の電力制御セットから１つの電力制御セットを決定することと、および前記決定された電力制御セットに基づいて、前記１つまたは複数の第２のサブフレームのうちの前記少なくとも１つのサブフレームにおいて、前記ＳＰＳを送信することとをさらに備える、Ｃ１に記載の方法。
［Ｃ１７］
ユーザ機器（ＵＥ）による複数のワイヤレス通信のための装置であって、
第１のサブフレームの構成で前記ＵＥを構成するシグナリングを受信するための手段と、
ダウンリンクハイブリッド自動リピート要求（ＨＡＲＱ）動作に関する基準サブフレームの構成を決定するための手段と、
アップリンクまたはダウンリンク  セミパーシステント  スケジューリング（ＳＰＳ）送信のうちの少なくとも１つに関してＳＰＳをアクティブ化する第１のサブフレームにおけるアクティブ化制御チャネルを受信するための手段と、
前記アクティブ化制御チャネル、前記第１のサブフレームの構成、または前記基準サブフレームの構成のうちの少なくとも１つに基づいて、１つまたは複数の第２のサブフレームにおいて、複数のダウンリンクＳＰＳ送信を受信するか、または複数のアップリンクＳＰＳ送信を送信するか、を決定するための手段と、
を備える装置。
［Ｃ１８］
前記第１のサブフレームの構成で前記ＵＥを構成する前記シグナリングは、システム情報ブロックに基づく、Ｃ１７に記載の装置。
［Ｃ１９］
前記基準サブフレームの構成は、無線リソース制御（ＲＲＣ）構成に基づく、Ｃ１７に記載の装置。
［Ｃ２０］
前記１つまたは複数の第２のサブフレームにおいて複数のアップリンクＳＰＳ送信を送信するかどうかの前記決定に少なくとも部分的に基づいて前記複数のアップリンクＳＰＳ送信を送信するための手段、または
前記１つまたは複数の第２のサブフレームにおいて複数のダウンリンクＳＰＳ送信を受信するかどうかの前記決定に少なくとも部分的に基づいて前記複数のダウンリンクＳＰＳ送信を受信するための手段、
をさらに備える、Ｃ１７に記載の装置。
［Ｃ２１］
前記ＵＥに関する複数のＳＰＳパラメータのセットを構成する準静的構成を受信することと、ここにおいて、前記複数のＳＰＳパラメータのセットは、ＳＰＳインターバル、ＵＥ特有アイデンティティ、ＨＡＲＱ処理の数、複数のＨＡＲＱリソースのセット、複数の電力制御パラメータのセット、暗黙のリリースに関するタイマ、または２つのインターバルの動作を制御するパラメータのうちの少なくとも１つを含む、
前記準静的構成に基づいて、さらに前記１つまたは複数の第２のサブフレームにおいて、複数のダウンリンクＳＰＳ送信を受信する、または複数のアップリンクＳＰＳ送信を送信するか否かを決定することと、および
前記準静的構成にさらに基づいて、前記１つまたは複数の第２のサブフレームにおいて、複数のダウンリンクＳＰＳ送信を受信する、または前記複数のアップリンクＳＰＳ送信を送信すること、
をさらに備える、Ｃ２０に記載の装置。
［Ｃ２２］
前記アクティブ化制御チャネルは、前記ＳＰＳ送信に関する変調及びコーディング  インジケータ、または複数のリソースのセットのうちの少なくとも１つを割り当てる、Ｃ１７に記載の装置。
［Ｃ２３］
第２のサブフレームの構成を指示する動的なインジケータを受信することをさらに備える、Ｃ１７に記載の装置。
［Ｃ２４］
前記ＳＰＳはダウンリンクＳＰＳであり、および前記１つまたは複数の第２のサブフレームにおいて、前記複数のダウンリンクＳＰＳ送信を受信するかどうかの前記決定は、前記第１のサブフレームの構成と前記第２のサブフレームの構成の両方に基づく、Ｃ２３に記載の装置。
［Ｃ２５］
前記サブフレームが、ダウンリンクサブフレームまたは特別なサブフレームとして前記第２のサブフレームの構成および前記第１のサブフレームの構成の両方によって表示されるとき、前記１つまたは複数の第２のサブフレームのうちの１つのサブフレームにおいて、前記複数のダウンリンクＳＰＳ送信を受信することを決定するための手段をさらに備える、Ｃ２４に記載の装置。
［Ｃ２６］
前記サブフレームが、ダウンリンクサブフレームとして前記第２のサブフレームの構成または前記第１のサブフレームの構成の１つによって表示されるとき、前記１つまたは複数の第２のサブフレームのうちの１つのサブフレームにおいて、前記複数のダウンリンクＳＰＳ送信を受信することを省略することを決定するための手段をさらに備える、Ｃ２４に記載の装置。
［Ｃ２７］
前記サブフレームが、ダウンリンクサブフレームまたは特別なサブフレームのうちの１つとして前記第１のサブフレームの構成によって表示指示される時、前記１つまたは複数の第２のサブフレームのうちの１つのサブフレームにおいて、前記複数のダウンリンクＳＰＳ送信を受信することを決定するための手段をさらに備える、Ｃ１７に記載の装置。
［Ｃ２８］
前記ＳＰＳはアップリンクＳＰＳであり、および前記１つまたは複数の第２のサブフレームにおいて、前記複数のダウンリンクＳＰＳ送信を受信するかどうかの前記決定は、前記第１のサブフレームの構成または前記基準サブフレームの構成のうちの１つに基づく、Ｃ１７に記載の装置。
［Ｃ２９］
ユーザ機器（ＵＥ）による複数のワイヤレス通信に関する装置であって、
少なくとも１つのプロセッサと、前記少なくとも１つのプロセッサに結合され、その上に記憶された複数の命令を有するメモリを備え、ここにおいて、
前記少なくとも１つのプロセッサは、
第１のサブフレームの構成で前記ＵＥを構成するシグナリングを受信することと、      ダウンリンクハイブリッド自動リピート要求（ＨＡＲＱ）動作に関する基準サブフレームの構成を決定することと、
アップリンクまたはダウンリンク  セミパーシステント  スケジューリング（ＳＰＳ）送信のうちの少なくとも１つに関するＳＰＳをアクティブ化する第１のサブフレームにおけるアクティブ化制御チャネルを受信することと、
前記アクティブ化制御チャネル、前記第１のサブフレームの構成、または前記基準サブフレームの構成のうちの少なくとも１つに基づいて、１つまたは複数の第２のサブフレームにおいて、複数のダウンリンクＳＰＳ送信を受信するか、複数のアップリンクＳＰＳ送信を送信するか、を決定することと、
を行うように構成される、
装置。
［Ｃ３０］
その上に記憶された複数の命令を有する、ユーザ機器（ＵＥ）による複数のワイヤレス通信のためのコンピュータ可読媒体であって、前記複数の命令は、
第１のサブフレームの構成で前記ＵＥを構成するシグナリングを受信することと、    ダウンリンクハイブリッド自動リピート要求（ＨＡＲＱ）動作に関する基準サブフレームの構成を決定すること、
アップリンクまたはダウンリンク  セミパーシステント  スケジューリング（ＳＰＳ）送信のうちの少なくとも１つに関するＳＰＳをアクティブ化する第１のサブフレームにおけるアクティブ化制御チャネルを受信することと、および
前記アクティブ化制御チャネル、前記第１のサブフレームの構成、または前記基準サブフレームの構成のうちの少なくとも１つに基づいて、１つまたは複数の第２のサブフレームにおいて、複数のダウンリンクＳＰＳ送信を受信するか、複数のアップリンクＳＰＳ送信を送信するか、を決定することと、
に関する１つまたは複数のプロセッサによって実行可能である、
コンピュータ可読媒体。